(57)【要約】【課題】鋼板の熱間圧延ラインにおいて、鋼板に反りが発生した場合でも冷却水を鋼板幅方向に均一に供給でき、鋼板全体を均一に冷却することができる鋼板の冷却設備および冷却設備方法を提供する。【解決手段】鋼板上面に対して冷却水２３を供給するノズル２２と、鋼板下面に対して冷却水３２を供給するノズル３２の両方を、鋼板幅方向外側に傾けるようにする。【選択図】図７
2008100256.tif 000002
【特許請求の範囲】
【請求項１】
鋼板の熱間圧延ラインで使用する冷却設備であって、
鋼板の上面に対して冷却水を供給するノズルの少なくとも一部のノズルの噴射方向および鋼板の下面に対して冷却水を供給するノズルの少なくとも一部のノズルの噴射方向が、それぞれ鉛直線に対して鋼板幅方向外側に傾いているとともに、鋼板上面では搬送方向に垂直な面に投影した冷却水の噴射線が交差する領域ができていることを特徴とする鋼板の冷却設備。
【請求項２】
鋼板の上面に対して冷却水を供給するノズルおよび鋼板の下面に対して冷却水を供給するノズルのそれぞれのノズルについて、冷却水の噴射線を搬送方向に垂直な面に投影した直線と鉛直線がなす角をφとし、ｔａｎφ＝０〜０．３５（望ましくは、ｔａｎφ＝０．１〜０．３５）であることを特徴とする請求項１に記載の鋼板の冷却設備。
【請求項３】
前記冷却水が棒状冷却水であることを特徴とする請求項１または２に記載の鋼板の冷却設備。
【請求項４】
鋼板の熱間圧延ラインで使用する冷却方法であって、
鋼板の上面に対して冷却水を供給するノズルの少なくとも一部のノズルの噴射方向および鋼板の下面に対して冷却水を供給するノズルの少なくとも一部のノズルの噴射方向を、それぞれ鉛直線に対して鋼板幅方向外側に傾けるとともに、鋼板上面では搬送方向に垂直な面に投影した冷却水の噴射線が交差する領域ができるようにすることを特徴とする鋼板の冷却方法。
【請求項５】
鋼板の上面に対して冷却水を供給するノズルおよび鋼板の下面に対して冷却水を供給するノズルのそれぞれのノズルについて、噴射線を搬送方向に垂直な面に投影した直線と鉛直線がなす角をφとし、ｔａｎφ＝０〜０．３５（望ましくは、ｔａｎφ＝０．１〜０．３５）とすることを特徴とする請求項４に記載の鋼板の冷却方法。
【請求項６】
前記冷却水が棒状冷却水であることを特徴とする請求項４または５に記載の鋼板の冷却方法。
【発明の詳細な説明】
【技術分野】
【０００１】
本発明は、鋼板の冷却設備および冷却方法に関するものである。
【背景技術】
【０００２】
鋼板（特に厚鋼板）の熱間圧延ラインにおいては、合金元素の削減や材質の向上および生産能率の向上を目的に、加速冷却装置や制御冷却装置など種々の冷却装置が用いられている。これら厚鋼板の冷却方法は、厚鋼板を搬送ロール上を搬送させながら上下面に冷却水を供給するのが一般的であり、いずれの冷却装置においても板幅方向、搬送方向に均一な冷却を行うことが重要である。
【０００３】
そのために、例えば特許文献１に記載されたような冷却装置が提案されている。特許文献１に記載の冷却装置は、上下一対の鋼板拘束ロール二組からなる冷却ユニットを厚鋼板の搬送方向に複数配設した冷却装置において、出側拘束ロールや出側拘束ロールの出側に設けたエアースリットノズルだけではロールと鋼板の隙間から漏出する冷却水を完全に除去することができないので、出側拘束ロールの出側に板幅方向へ延びる冷却ヘッダを配設し、ヘッダに厚鋼板の搬送方向に相対向させ、かつ搬送方向に対し左右相反方向へ噴射口を向け冷却液噴射ノズルを傾斜配設した冷却装置である。
【０００４】
すなわち、特許文献１に記載の冷却装置では、出側拘束ロールの出側で完全な水切りを行うために板幅方向へ多数ノズルを配設し、噴出する冷却水によって漏出した冷却水を強制的に厚鋼板の板幅方向へ押し流し、さらにエアースリットノズルより圧縮エアーを噴射して厚鋼板上の残留水を皆無にしている。
【０００５】
しかし、その際に、冷却ユニットにおける水量密度を大きくすると十分に水が切れず、水切り能力を上げるためには設備を大きくしなければならず、また、厚鋼板の形状が悪い場合には、厚鋼板がノズルに衝突する危険性がある。
【０００６】
そこで、本出願人は、特願２００６−２２７４０４（未公開出願１）において、新たな鋼板の冷却技術を提案している。
【０００７】
すなわち、図１に側面図、図２に平面図を示すように、鋼板１０の上面に対して冷却水（棒状冷却水）２３を所定の噴射角度（伏角）θで噴射する上ノズル群２２を有する上ヘッダ２１を鋼板搬送方向に一対配置し、それぞれの上ヘッダ２１ａ、２１ｂの上ノズル群２２ａ、２２ｂから噴射される冷却水２３ａ、２３ｂが鋼板搬送方向に鋼板上で所定の間隔を置いて互いに対向するようにするとともに、上方から見た噴射線が鋼板搬送方向となす角で定義される角度（外向き角）αを有するようにしている。
【０００８】
一例として、図２においては、冷却水２３の外向き角αを一定とし、冷却水２３が鋼板１０に衝突する位置（衝突点）が鋼板幅方向に等間隔となるように各ノズルを設置している。その際、鋼板幅方向中央付近では、左右の両幅方向外側に傾けて噴射するノズルを設置しなくてはならないので、ノズルを取り付ける穴の加工が可能となるように、鋼板幅方向左端外側に傾けて噴射するノズル列（例えば、図２中の上ヘッダ２１ａ、２１ｂにおいて上方向に噴射速度成分をもつノズル列）と鋼板幅方向右端外側に傾けて噴射するノズル列（例えば、図２中の上ヘッダ２１ａ、２１ｂにおいて下方向に噴射速度成分をもつノズル列）を、鋼板搬送方向に交互に所定間隔ずらして設置している。ここで、鋼板幅方向中央部近傍では、鋼板幅方向左端外側に傾けて噴射するノズルからの冷却水の噴射線と鋼板幅方向右端外側に傾けて噴射するノズルからの冷却水の噴射線が交差している。
【０００９】
これにより、未公開出願１においては、供給された冷却水２３自身が鋼板１０上の滞留冷却水２４を堰き止めて適切に水切りを行うことになり、安定した冷却領域が得られ、鋼板１０を均一に冷却することができる。
【特許文献１】特開昭６０−２０６５１６号公報
【発明の開示】
【発明が解決しようとする課題】
【００１０】
ただし、前記未公開出願１において、上ノズル２２を鋼板幅方向外側に向けて噴射することによって冷却水２３に鋼板幅方向成分を持たせると、冷却水２３の排水性はよくなるが、上反り等によって鋼板１０の高さ位置が変わると、冷却水２３の衝突点が鋼板幅方向に移動するという問題がある。
【００１１】
通常、熱間圧延ラインにおいては、圧延の上下アンバランス等によって、図３に示すように、鋼板１０の先尾端に上反りが発生することが時々あり、その際には、上反りのない鋼板定常部と上反りが発生した反り発生部とでは鋼板１０の高さ位置が変わることになる。
【００１２】
いま、図４に示すように、上ノズル２２からの冷却水（噴射線）が鋼板１０の定常部の上面に衝突する位置（衝突点）を衝突点Ａとすると、反り発生部では、図５に示すように、上ノズル２２からの冷却水の衝突点が衝突点Ｂに変わる。その際に、衝突点Ｂは、伏角θの影響で鋼板搬送方向に移動することになるが、それとともに、図６に示すように、外向き角αの影響で衝突点が鋼板幅方向中央部側に移動することになる。そのため、定常部に対して鋼板幅方向で冷却水の衝突点が等間隔となるように上ノズル２２が設置されている場合には、反り発生部に対して一部で衝突点の間隔が等間隔でない個所が生じることになる。
【００１３】
具体的には、図６において、鋼板１に対する衝突点Ａの間隔Ｗが等間隔となっているとすると、鋼板２に対する衝突点Ｂは、衝突点Ａよりも鋼板幅方向中央側にΔＷだけ移動することになり、その際に、鋼板幅方向中央部近傍以外では、同方向に噴射しているので、各衝突点が同方向にΔＷ移動することから、衝突点間隔はＷを維持することになるが、鋼板幅方向中央部近傍では、異なる方向に噴射しているので、それらの衝突点が互いに接近する方向にΔＷずつ移動し、衝突点間隔がＷ−２ΔＷとなって狭くなることになる。
【００１４】
その結果、反り発生部に対しては、鋼板幅方向中央部上面の冷却水供給量が他の部分に比べて多くなり、鋼板幅方向中央部が過冷却となって、鋼板幅方向に不均一な温度分布となり、品質の高い鋼板を製造できなくなる可能性がある。
【００１５】
本発明は、上記のような事情に鑑みてなされたものであり、鋼板の熱間圧延ラインにおいて、鋼板に反りが発生した場合でも冷却水を鋼板幅方向に均一に供給でき、鋼板全体を均一に冷却することができる鋼板の冷却設備および冷却設備方法を提供することを目的とするものである。
【課題を解決するための手段】
【００１６】
上記課題を解決するために、本発明者らは鋭意検討を行った結果、鋼板下面に対して冷却水を供給するノズルとして、鋼板上面に対して冷却水を供給するノズルと同様に、鋼板幅方向外側に傾けたノズルを用いればよいことに思い至った。すなわち、鋼板上下面ともに、鋼板幅方向外側に傾けたノズルを用いれば、反り発生部においては、鋼板上面は、鋼板幅方向中央部で衝突点間隔が狭くなって冷却水供給量が多くなるのに対して、逆に、鋼板下面は、鋼板幅方向中央部で衝突点間隔が広くなって冷却水供給量が少なくなるので、それらが相殺されて、鋼板を幅方向に均一に冷却することができるようになる。
【００１７】
本発明は、上記のような考え方に基づいており、以下のように特徴を有している。
【００１８】
［１］鋼板の熱間圧延ラインで使用する冷却設備であって、
鋼板の上面に対して冷却水を供給するノズルの少なくとも一部のノズルの噴射方向および鋼板の下面に対して冷却水を供給するノズルの少なくとも一部のノズルの噴射方向が、それぞれ鉛直線に対して鋼板幅方向外側に傾いているとともに、鋼板上面では搬送方向に垂直な面に投影した冷却水の噴射線が交差する領域ができていることを特徴とする鋼板の冷却設備。
【００１９】
［２］鋼板の上面に対して冷却水を供給するノズルおよび鋼板の下面に対して冷却水を供給するノズルのそれぞれのノズルについて、冷却水の噴射線を搬送方向に垂直な面に投影した直線と鉛直線がなす角をφとし、ｔａｎφ＝０〜０．３５（望ましくは、ｔａｎφ＝０．１〜０．３５）であることを特徴とする前記［１］に記載の鋼板の冷却設備。
【００２０】
［３］前記冷却水が棒状冷却水であることを特徴とする前記［１］または［２］に記載の鋼板の冷却設備。
【００２１】
［４］鋼板の熱間圧延ラインで使用する冷却方法であって、
鋼板の上面に対して冷却水を供給するノズルの少なくとも一部のノズルの噴射方向および鋼板の下面に対して冷却水を供給するノズルの少なくとも一部のノズルの噴射方向を、それぞれ鉛直線に対して鋼板幅方向外側に傾けるとともに、鋼板上面では搬送方向に垂直な面に投影した冷却水の噴射線が交差する領域ができるようにすることを特徴とする鋼板の冷却方法。
【００２２】
［５］鋼板の上面に対して冷却水を供給するノズルおよび鋼板の下面に対して冷却水を供給するノズルのそれぞれのノズルについて、噴射線を搬送方向に垂直な面に投影した直線と鉛直線がなす角をφとし、ｔａｎφ＝０〜０．３５（望ましくは、ｔａｎφ＝０．１〜０．３５）とすることを特徴とする前記［４］に記載の鋼板の冷却方法。
【００２３】
［６］前記冷却水が棒状冷却水であることを特徴とする前記［４］または［５］に記載の鋼板の冷却方法。
【発明の効果】
【００２４】
本発明を用いることにより、反り等によって搬送中の鋼板の高さ位置が変わっても鋼板全体を均一に冷却することができる。その結果、品質の高い鋼板を製造することができる。
【発明を実施するための最良の形態】
【００２５】
本発明の実施の形態を図面に基づいて説明する。
【００２６】
本発明の一実施形態における鋼板の冷却設備の基本的構成は、図１に側面図、図２に平面図を示したものである。
【００２７】
すなわち、この実施形態に係る冷却設備は、鋼板の熱間圧延ライン上に設置される通過式の冷却設備であり、鋼板１０の上面に向けて冷却水を供給するための一対の上ヘッダ２１（第１上ヘッダ２１ａ、第２上ヘッダ２１ｂ）と、鋼板１０の下面に向けて冷却水を供給するための２個の下ヘッダ３１を備えている。なお、図１中、１３はテーブルローラである。
【００２８】
そして、それぞれの上ヘッダ２１ａ、２１ｂには複数列の円管ノズル２２（第１上ノズル２２ａ、第２上ノズル２２ｂ）が取り付けられており、第１上ノズル２２ａから噴射角度（伏角）θで供給される棒状の冷却水２３ａと第２上ノズル２２ｂから噴射角度（伏角）θで供給される棒状の冷却水２３ｂが鋼板搬送方向に鋼板上で所定の間隔を置いて互いに対向するようにするとともに、棒状冷却水２３（２３ａ、２３ｂ）が鋼板幅方向外側に向かう速度成分を持つように、鋼板幅方向両外側に向けて所定の噴射角度（外向き角）αを有するようにしている。
【００２９】
そして、その外向き角αを一定にし、棒状冷却水２３が鋼板１０に衝突する位置（衝突点）が鋼板幅方向に等間隔となるように各ノズル２２を設置している。その際、鋼板幅方向中央付近では、左右の両幅方向外側に傾けて噴射するノズルを設置しなくてはならないので、ノズルを取り付ける穴の加工が可能となるように、鋼板幅方向左端外側に傾けて噴射するノズル列（例えば、図２中の上ヘッダ２１ａ、２１ｂにおいて上方向に噴射速度成分をもつノズル列）と鋼板幅方向右端外側に傾けて噴射するノズル列（例えば、図２中の上ヘッダ２１ａ、２１ｂにおいて下方向に噴射速度成分をもつノズル列）を、鋼板搬送方向に交互に所定間隔ずらして設置している。ここで、鋼板幅方向中央部近傍では、鋼板幅方向左端外側に傾けて噴射するノズルからの冷却水の噴射線と鋼板幅方向右端外側に傾けて噴射するノズルからの冷却水の噴射線が交差している。また、鋼板幅方向中央を境にして、供給した冷却水２３が鋼板幅端へ流れ出る方向（矢印Ｚ）が異なるようになっている。
【００３０】
一方、下ヘッダ３１については、ここでは、２個の下ヘッダ３１が配置されており、それぞれに円管ノズル群（下ノズル群）３２が取り付けられ、テーブルローラ１３の隙間から棒状の冷却水３３を噴射して、通過する鋼板１０の全幅に冷却水を供給するようになっている。その際、各下ノズル３２は、それぞれの棒状冷却水３３が鋼板１０に衝突する位置（衝突点）が鋼板幅方向に等間隔となるように設置されている。
【００３１】
ちなみに、本発明の棒状冷却水とは、円形状（楕円や多角の形状も含む）のノズル噴出口から噴射される冷却水のことを指している。また、本発明の棒状冷却水は、スプレー状の噴流や膜状のラミナーフローでなく、ノズル噴出口から鋼板に衝突するまでの水流の断面がほぼ円形に保たれ、連続性で直進性のある水流の冷却水をいう。
【００３２】
そして、前述したように、鋼板１０の定常部に対する衝突点Ａの間隔が等間隔Ｗになっていても、鋼板１０の反り発生部に対しては、その衝突点Ｂの間隔が鋼板幅方向中央部近傍でＷ−２ΔＷと狭くなり、鋼板上面への冷却水供給量が鋼板幅方向で不均一になってしまう。
【００３３】
そこで、この実施形態においては、図７に正面図を示すように、上ノズル２２と同様、下ノズル３２も鋼板幅方向外側に傾けるようにしている。なお、ここで、搬送方向と垂直な面から見た噴射線が鉛直線となす角をφと定義し、上ノズル２２側をφ１、下ノズル３２側をφ２としている。
【００３４】
例えば、φ１＝φ２の時は、図７に示すように、鋼板１０（板厚ｈ１）の定常部において、鋼板の上面および下面とも衝突点がＷで等間隔になっていて、冷却水供給量が鋼板幅方向で均一である場合、図８に示すように、鋼板１０の反り発生においては、鋼板上面は、鋼板幅方向中央部での衝突点間隔がＷ−２ΔＷと狭くなって、冷却水供給量が多くなるのに対して、逆に、鋼板下面は、鋼板幅方向中央部での衝突点間隔がＷ＋２ΔＷと広くなって、冷却水供給量が少なくなるので、それらが相殺されて、鋼板１０を幅方向に均一に冷却することができるようになる。
【００３５】
ちなみに、衝突点の鋼板幅方向移動量ΔＷは、鋼板の高さ位置の変化量をΔＨとすると、
ΔＷ＝ΔＨ ｔａｎφ
で表される。
【００３６】
なお、ここでは、図７、図８に示したように、上ノズル２２および下ノズル３２の全てが鋼板幅方向外側に傾いているが、本発明はこれに限るものではなく、上ノズル２２および下ノズル３２において、多数配列するノズルの一部に、外向きに噴射するノズルが含まれてさえすればよい。例えば、鋼板幅方向中央部での噴射方向が上ノズル２２および下ノズル３２とも鉛直方向（φ＝０）で、鋼板幅方向端部に向けて噴射角度φを徐々に大きくするような場合であってもよい。
【００３７】
そして、外向きの噴射角度φについては、ｔａｎφ＝０〜０．３５（望ましくは、ｔａｎφ＝０．１〜０．３５）となるようにしている。
【００３８】
ちなみに、この実施形態においては、棒状冷却水を外向きに噴射する場合を示したが、本発明はこれに限るものではなく、例えばスプレーノズルなどの噴霧状冷却水を外向きに噴射する場合に用いてもよい。その場合には、ノズルをはめ込む配管の軸心を噴射方向と考えればよい。
【００３９】
また、ここでは、厚鋼板の冷却を行う場合を念頭において説明したが、本発明はこれに限るものではない。例えば、薄鋼板（熱延鋼帯）のランアウト冷却で用いてもよく、鋼板の先端部が空中に浮き上がったり、巻取り開始時の張力付加の影響で部分的にループができたりしていても、鋼板幅方向で均一に冷却できる。また、搬送中の鋼板の高さ位置を意図的に変えるようなプロセスにおいて均一な冷却を行おうとする場合にも、極めて有効である。
【００４０】
さらに、上ヘッダ２１を上下に移動できるようにすればなおよい。鋼板の板厚が大きく変化する場合は、鋼板の定常部においても、図５、図６に示したと同じように、鋼板上面に対する冷却水衝突点の間隔が鋼板幅方向中央部で不均一になるので、上ヘッダ２１を上下させて、冷却水２３の噴射距離を常に一定とすれば、定常部上面の冷却水衝突点を等間隔で並ぶようにすることができる。また、冷却を行わない時は、上ヘッダ２１を上方に上げて退避させておくことができるので、反りが大きい鋼板が衝突して上ヘッダ２１を破損させるなどの危険性を小さくすることができるし、鋼板からの輻射熱による上ヘッダ２１の熱変形を防止することができるなど、設備保全上の効果も大きい。
【実施例１】
【００４１】
本発明の実施例を以下に述べる。
【００４２】
ここでは、図１、図２に示す基本的構成を備えた冷却設備を用いて、板厚が２０ｍｍの鋼板に対して冷却を行った。
【００４３】
その際、上ノズル２２の噴射角度θを４５°、噴射高さ（テーブルローラ上端から上ノズル先端までの高さ）Ｈを１０２０ｍｍとし、鋼板の定常部に対して、上面の冷却水衝突点および上面の冷却水衝突点がそれぞれ鋼板幅方向に６０ｍｍピッチで等間隔になるようにした。
【００４４】
そして、本発明例１として、上記の本発明の一実施形態に基づいて、図７で示す上ノズル２２の噴射角度φ１と下ノズル３１の噴射角度φ２を全て同じにして、ｔａｎφ１＝ｔａｎφ２＝０．２として冷却を行った。
【００４５】
また、本発明例２として、上記の本発明の一実施形態に基づいて、図７で示す上ノズル２２の噴射角度φ１と下ノズル３１の噴射角度φ２を全て同じにして、ｔａｎφ１＝ｔａｎφ２＝０．３として冷却を行った。
【００４６】
これに対して、比較例１として、図９に示すように、上ノズル２２の噴射方向と下ノズル３１の噴射方向を全て鉛直方向（すなわち、φ１＝φ２＝０）として冷却を行った。
【００４７】
また、比較例２として、図１０に示すように、上ノズル２２の噴射角度φ１を全てｔａｎφ１＝０．２とし、下ノズル３１の噴射方向を全て鉛直方向（すなわち、φ２＝０）として冷却を行った。
【００４８】
なお、冷却開始温度は８００℃とし、冷却終了温度が目標の６００℃となるように、冷却水量や冷却時間を調整した。また、鋼板の上反り量ΔＨは、最大で２００ｍｍあった。
【００４９】
その結果を表１および図１１に示す。
【００５０】
【表１】
2008100256.tif 000003
【００５１】
まず、比較例１では、上ノズル２２、下ノズル３１とも鋼板幅方向外向きに傾けなかったため、鋼板上下面ともに冷却水供給量は鋼板幅方向で均一であった。しかし、滞留冷却水２４の水位が高くなりすぎて、対向する棒状冷却水２３の外側へ滞留冷却水２４が漏れ出すことがあり、これが鋼板を部分的に冷却し、定常部での温度むらは６０℃あった。さらに、反り発生部では、図３に示すように、高さ位置が低い方（図３では左側）に多量の滞留冷却水２４が漏れ、温度むらは１００℃になった。その結果、鋼板内の温度を均一にすることができず、目標とする材質が得られなかった部分が多く、歩留まりが大幅に低下した。
【００５２】
また、比較例２では、上ノズル２２が鋼板幅方向外向きに傾いているので、鋼板上面の冷却水が鋼板幅方向外側に流出しやすくなり、滞留冷却水２４の水位はそれほど高くならず、対向する棒状冷却水２３の外側へ滞留冷却水２４が漏れ出すことはなかった。そのため、定常部の温度むらは１０℃であった。しかし、反り発生部では、上面で鋼板幅方向中央部への冷却水供給量が多くなったの対して、下ノズル３２が鉛直方向を向いているので、下面では冷却水供給量が鋼板幅方向に均一であったため、上面と下面を合計した冷却水供給量は、鋼板幅方向中央部で多くなった。したがって、反り発生部での鋼板幅方向の温度分布は、図１１（ａ）のようになり、鋼板幅方向中央部の２ΔＷの幅が過冷却となり、８０℃の温度むらが発生した。その結果、反り発生部では、鋼板幅方向温度を均一にすることができず、鋼板幅方向中央部で目標とする材質が得られなかった。そのため、比較例１よりは改善したものの、歩留まりはかなり低かった。
【００５３】
これに対して、本発明例１では、定常部については、比較例２と同様に、鋼板上面の冷却水が鋼板幅方向外側に流出しやすくなり、定常部の温度むらは１０℃であった。一方、反り発生部については、鋼板幅方向中央部上面への冷却水供給量が定常部の２倍になったのに対して、鋼板幅方向中央部下面へは冷却水が供給されなくなった。それによって、鋼板幅方向中央部は、上面での冷却過多と下面での冷却不足が相殺されたので、反り発生部での鋼板幅方向の温度分布は、図１１（ｂ）のようになり、温度むらを１５℃に抑えることができた。その結果、鋼板内の温度を均一にすることができ、目標とする材質が得られて、高い歩留まりを維持できた。
【００５４】
また、本発明例２でも、本発明例１と同様であり、定常部の温度むらは１０℃、反り発生部の温度むらは１５℃であった。その結果、鋼板内の温度を均一にすることができ、目標とする材質が得られて、高い歩留まりを維持できた。
【００５５】
以上のことから、本発明の有効性を確認することができた。
【図面の簡単な説明】
【００５６】
【図１】本発明の一実施形態における冷却設備の構成を示す側面図である。
【図２】本発明の一実施形態における冷却設備の構成を示す平面図である。
【図３】鋼板に上反りが発生した場合の状況を示す図である。
【図４】定常部での冷却水の衝突点を表す側面図である。
【図５】反り発生部での冷却水の衝突点を表す側面図である。
【図６】冷却水の衝突点を表す平面図である。
【図７】本発明の一実施形態における定常部の冷却状態を示す正面図である。
【図８】本発明の一実施形態における反り発生部の冷却状態を示す正面図である。
【図９】比較例１での冷却状態を示す正面図である。
【図１０】比較例２での冷却状態を示す正面図である。
【図１１】本発明の実施例における鋼板幅方向温度分布を示す図である。
【符号の説明】
【００５７】
１０  鋼板
１３  テーブルローラ
２１  上ヘッダ
２１ａ  第１上ヘッダ
２１ｂ  第２上ヘッダ
２２  上ノズル
２２ａ  第１上ノズル
２２ｂ  第２上ノズル
２３  棒状冷却水
２３ａ  棒状冷却水
２３ｂ  棒状冷却水
２４  滞留冷却水
２５  漏れ水
３１  下ヘッダ
３２  下ノズル
３３  棒状冷却水
【図１】
2008100256.tif 000004
【図２】
2008100256.tif 000005
【図３】
2008100256.tif 000006
【図４】
2008100256.tif 000007
【図５】
2008100256.tif 000008
【図６】
2008100256.tif 000009
【図７】
2008100256.tif 000010
【図８】
2008100256.tif 000011
【図９】
2008100256.tif 000012
【図１０】
2008100256.tif 000013
【図１１】
2008100256.tif 000014